(57)【要約】【課題】所望の温度の芳香成分を噴出可能な匂い噴出装置を提供すること。【解決手段】匂い噴出装置１は、気体を流入させるための気体流入口と、前記気体を噴出させるための気体噴出口とを有し、揮発性の芳香成分を含む芳香物質１００を収納する収納部６２と、収納部６２の気体流入口に接続された第１の逆止弁６１と、収納部６２の気体噴出口に接続された第２の逆止弁６３とを備えるカートリッジ６と、カートリッジ６を加熱するための加熱機構１２と、カートリッジ６の第１の逆止弁６１を介して収納部６２に接続され、カートリッジ６の収納部６２内に気体を供給する送風機構５と、を含む。【選択図】図４
2019136411.tif 000002
【特許請求の範囲】
【請求項１】
気体を流入させるための気体流入口と、前記気体を噴出させるための気体噴出口とを有し、揮発性の芳香成分を含む芳香物質を収納する収納部と、前記収納部の前記気体流入口に接続された第１の逆止弁と、前記収納部の前記気体噴出口に接続された第２の逆止弁とを備えるカートリッジと、
前記カートリッジを加熱するための加熱機構と、
前記カートリッジの前記第１の逆止弁を介して前記収納部に接続され、前記カートリッジの前記収納部内に前記気体を供給する送風機構と、を含むことを特徴とする匂い噴出装置。
【請求項２】
前記加熱機構は、前記カートリッジを加熱する電熱線またはペルチェ素子から構成されている請求項１に記載の匂い噴出装置。
【請求項３】
前記収納部は、長尺の円筒形状を有しており、
前記電熱線は、前記カートリッジの前記収納部の外周部の少なくとも一部分を覆うパターンを形成している請求項２に記載の匂い噴出装置。
【請求項４】
前記カートリッジの温度を検出するための温度センサーをさらに含み、
前記匂い噴出装置は、前記温度センサーによって検出される前記カートリッジの前記温度に応じて、前記加熱機構の制御を実行する請求項１ないし３のいずれかに記載の匂い噴出装置。
【請求項５】
前記加熱機構による前記カートリッジの加熱のオン・オフと、前記カートリッジの温度設定を実行するためのスライダー式のスイッチをさらに含む請求項４に記載の匂い噴出装置。
【請求項６】
前記カートリッジの前記収納部は、金属材料で構成されている請求項１ないし５のいずれかに記載の匂い噴出装置。
【請求項７】
前記カートリッジの前記収納部は、断熱材層により覆われている請求項１ないし６のいずれかに記載の匂い噴出装置。
【請求項８】
前記加熱機構によって前記カートリッジが加熱されているときに発光する発光部をさらに含む請求項１ないし７のいずれかに記載の匂い噴出装置。
【発明の詳細な説明】
【技術分野】
【０００１】
本発明は、一般に、匂い噴出装置に関し、より具体的には、揮発性の芳香成分を含む芳香物質を収納するためのカートリッジと、カートリッジを加熱するための加熱機構とを含む匂い噴出装置に関する。
【背景技術】
【０００２】
従来より、リラックス効果や覚醒効果等の様々な効果を有する様々な種類の芳香成分を空気中に噴出させる匂い噴出装置が知られている。例えば、特許文献１は、芳香成分を含む芳香物質が内部に収納された筒状の容体と、容体の一方の端部から加圧空気を供給することにより、容体の他方の端部から、空気と共に芳香物質の芳香成分を外部に噴出させるためのコンプレッサーとを備える匂い噴出装置を開示している。
【０００３】
特許文献１の匂い噴出装置では、容体の一方の端部（気体流入口）および他方の端部（気体噴出口）のそれぞれが、逆止弁によって密閉されている。そのため、コンプレッサーが稼働していないときに、芳香物質の芳香成分が匂い噴出装置の外部へ流出してしまうことが防止されている。
【０００４】
しかしながら、芳香物質の中には、低い温度では揮発しづらい芳香成分を含むもの（例えば、お香、茶葉、香草）がある。そのような芳香物質が容体内に収納された状態で、室温のまま特許文献１に開示されている匂い噴出装置を用いても、ユーザーが芳香物質の匂いを強く感じられないという問題があった。
【０００５】
また、一般に、揮発性の芳香成分の揮発量は、高温環境下において多くなる。そのため、上述の特許文献１に開示されているような匂い噴出装置を、冬場や寒冷地等の低温環境下において用いた場合、匂い噴出装置から噴出される芳香成分の量が不十分となり、ユーザーが匂いを強く感じられないという問題があった。
【０００６】
また、化粧品、香水、スパイス、アロマオイル等の匂いをアピールポイントとする商品は、多くの場合、様々な芳香物質を含んでいる。芳香物質の芳香成分の揮発量は、温度に依存するので、これら商品の匂いも、温度に応じて変化する。そのため、例えば、化粧品や香水の匂いに関し、常温（室温）での匂いと、化粧品や香水の使用環境である人肌の表面温度での匂いとは、異なるものとなる。このことは、香水の購入を希望する顧客が、香水の匂いを確認する際に、香水瓶中の香水を直接嗅がずに、一度香水を自身の手首や手の甲に少量滴下し、自身の手首や手の甲に馴染ませた後に、香水の匂いを確認することが一般に行われていることから、容易に理解されるであろう。
【０００７】
そのため、これら商品の開発現場では、商品の使用環境の温度での匂いを容易に確認することができる匂いテスターに対するニーズが存在している。例えば、化粧品や香水の商品開発を行う場合、人肌の表面温度（約３０〜３７℃）での化粧品や香水の匂いを確認する必要があり、さらに、スパイスの商品開発を行う場合、スパイスが用いられる料理の加熱温度（例えば、５０〜８０℃）でのスパイスの匂いを確認する必要がある。また、商品を販売する店舗等においても、顧客に、商品の使用環境での匂いを嗅がせることができる匂いテスターに対するニーズが存在している。しかしながら、上述の特許文献１のような匂い噴出装置は、芳香物質の温度を変化させるための加熱機構を有しておらず、このようなニーズに対応することができていなかった。
【０００８】
さらに、特許文献１の匂い噴出装置では、容体の両端部を密閉している逆止弁のそれぞれは、容体の通風孔を密閉するための弁体と、該弁体を容体に押し付けるように付勢するための圧縮スプリングとから構成されている。そのため、特許文献１の匂い噴出装置の容体内に収納されている芳香物質を別の種類の芳香物質に交換する際には、異なる種類の芳香物質の混合を防ぐため、洗浄等により、容体内部および逆止弁に付着している芳香物質を除去する必要がある。
【０００９】
容体内部および逆止弁に付着している芳香物質を取り除くためには、超音波洗浄や高温洗浄（例えば、３００℃程度）等の煩雑で高コストな洗浄処理を行う必要がある。特許文献１の匂い噴出装置では、弁体と圧縮スプリングから構成される複雑な構造の逆止弁が用いられており、このような逆止弁を洗浄し、逆止弁に付着した芳香物質を除去することは、困難かつ高コストである。
【００１０】
また、逆止弁を新しいものに交換することにより、逆止弁の洗浄の必要性を除去するとしても、弁体と圧縮スプリングから構成される逆止弁は、高コストである。そのため、逆止弁を新しいものに交換するとしても、容体内に収納されている芳香物質を異なる種類の芳香物質に変え、噴出させる芳香成分を変更することは高コストである。このように、特許文献１の匂い噴出装置を用いた場合、容体内に収納されている芳香物質を異なる種類の芳香物質に変え、噴出させる芳香成分を気軽に変更することができなかった。
【先行技術文献】
【特許文献】
【００１１】
【特許文献１】特開昭６２−２１７９６７号公報
【発明の概要】
【発明が解決しようとする課題】
【００１２】
本発明は、上記従来の問題点を鑑みたものであり、その目的は、所望の温度で芳香成分を噴出可能な匂い噴出装置を提供することにある。
【課題を解決するための手段】
【００１３】
このような目的は、以下の（１）〜（８）の本発明により達成される。
（１）気体を流入させるための気体流入口と、前記気体を噴出させるための気体噴出口とを有し、揮発性の芳香成分を含む芳香物質を収納する収納部と、前記収納部の前記気体流入口に接続された第１の逆止弁と、前記収納部の前記気体噴出口に接続された第２の逆止弁とを備えるカートリッジと、
前記カートリッジを加熱するための加熱機構と、
前記カートリッジの前記第１の逆止弁を介して前記収納部に接続され、前記カートリッジの前記収納部内に前記気体を供給する送風機構と、を含むことを特徴とする匂い噴出装置。
【００１４】
（２）前記加熱機構は、前記カートリッジを加熱する電熱線またはペルチェ素子から構成されている上記（１）に記載の匂い噴出装置。
【００１５】
（３）前記収納部は、長尺の円筒形状を有しており、
前記電熱線は、前記カートリッジの前記収納部の外周部の少なくとも一部分を覆うパターンを形成している上記（２）に記載の匂い噴出装置。
【００１６】
（４）前記カートリッジの温度を検出するための温度センサーをさらに含み、
前記匂い噴出装置は、前記温度センサーによって検出される前記カートリッジの前記温度に応じて、前記加熱機構の制御を実行する上記（１）ないし（３）のいずれかに記載の匂い噴出装置。
【００１７】
（５）前記加熱機構による前記カートリッジの加熱のオン・オフと、前記カートリッジの温度設定を実行するためのスライダー式のスイッチをさらに含む上記（４）に記載の匂い噴出装置。
【００１８】
（６）前記カートリッジの前記収納部は、金属材料で構成されている上記（１）ないし（５）のいずれかに記載の匂い噴出装置。
【００１９】
（７）前記カートリッジの前記収納部は、断熱材層により覆われている上記（１）ないし（６）のいずれかに記載の匂い噴出装置。
【００２０】
（８）前記加熱機構によって前記カートリッジが加熱されているときに発光する発光部をさらに含む上記（１）ないし（７）のいずれかに記載の匂い噴出装置。
【発明の効果】
【００２１】
本発明によれば、加熱機構を用いて、揮発性の芳香成分を含む芳香物質が収納されているカートリッジを加熱することができ、所望の温度で芳香成分を匂い噴出装置から噴出させることができる。所望の温度で芳香成分を噴出できるため、常温での匂いが弱い芳香物質（例えば、お茶、茶葉、香草）の匂いを、より強く空気中に噴出させることができる。また、芳香物質が収納されているカートリッジを加熱することができるため、冬場や寒冷地等の低温環境下において本発明の匂い噴出装置を用いた場合であっても、ユーザーは、芳香物質の匂いを強く感じることができる。
【００２２】
さらに、本発明によれば、商品（例えば、化粧品、香水、スパイス、アロマオイル）の使用環境における温度での芳香物質の匂いを容易に確認することができるため、本発明の匂い噴出装置を、商品開発や販売促進のための匂いテスターとして有効に活用することができる。
【００２３】
さらに、本発明の匂い噴出装置のカートリッジでは、芳香物質を収納する収納部の空気流入口および空気噴出口のそれぞれに、弾性材料（例えば、樹脂材料やゴム）製のダックビル型またはアンブレラ型の弁体および該弁体を支持する弁座を有する第１の逆止弁および第２の逆止弁が着脱可能に接続されている。第１の逆止弁および第２の逆止弁を収納部から取り外すことにより、収納部内を容易に洗浄することができる。そのため、カートリッジの収納部内に収納されている芳香物質を別の種類の芳香物質に変更する際には、洗浄により、収納部内部に付着している芳香物質を容易に除去することができる。
【００２４】
また、第１の逆止弁および第２の逆止弁は、弾性材料製の弁体を弁座から取り外すことにより、容易に分解することができ、弁体が取り外された弁座は容易に洗浄することができる。そのため、カートリッジの収納部内に収納されている芳香物質を別の種類の芳香物質に変更する際には、洗浄により、弁座に付着している芳香物質を容易に除去することができる。
【００２５】
また、第１の逆止弁および第２の逆止弁の弾性材料製のダックビル型またはアンブレラ型の弁体は、安価に製造することができる。そのため、カートリッジの収納部内に収納されている芳香物質を別の種類の芳香物質に交換する際には、第１の逆止弁および第２の逆止弁のダックビル型またはアンブレラ型の弁体を、新しい弁体に低コストで交換することができる。そのため、本発明の匂い噴出装置によれば、カートリッジの収納部内に収納されている芳香物質を異なる種類の芳香物質に変え、噴出させる芳香成分を気軽に変更することができる。
【図面の簡単な説明】
【００２６】
【図１】本発明の実施形態に係る匂い噴出装置の全体構成を示す斜視図である。
【図２】図１に示す匂い噴出装置の内部構造を示す斜視図である。
【図３】図１に示す匂い噴出装置のカートリッジ、温度センサー、加熱機構、断熱材層、および絶縁層の位置関係を示すための分解斜視図である。
【図４】図１に示す匂い噴出装置を概略的に示すブロック図である。
【図５】図１に示す匂い噴出装置の送風機構およびカートリッジを示す斜視図である。
【図６】図５に示すカートリッジの縦断面図である。
【図７】加熱機構の制御方法のフローチャートである。
【発明を実施するための形態】
【００２７】
以下、本発明の匂い噴出装置を、添付図面に示す好適な実施形態に基づいて、説明する。なお、各図において、同様または類似した機能を発揮するコンポーネントには、同一の参照符号を付す。
【００２８】
図１は、本発明の実施形態に係る匂い噴出装置の全体構成を示す斜視図である。図２は、図１に示す匂い噴出装置の内部構造を示す斜視図である。図３は、図１に示す匂い噴出装置のカートリッジ、温度センサー、加熱機構、断熱材層、および絶縁層の位置関係を示すための分解斜視図である。図４は、図１に示す匂い噴出装置を概略的に示すブロック図である。図５は、図１に示す匂い噴出装置の送風機構およびカートリッジを示す斜視図である。図６は、図５に示すカートリッジの縦断面図である。図７は、加熱機構の制御方法のフローチャートである。
【００２９】
なお、以下の説明では、図１、図２、および図５の上側を「上」または「上方」と言い、図１、図２、および図５の下側を「下」または「下方」と言う。また、図１、図２、および図５の紙面左奥側、並びに、図３および図６の左側を「基端側」と言い、図１、図２、および図５の紙面右手前側、並びに、図３および図６の右側を「先端側」と言う。なお、図２中では、匂い噴出装置の内部構造を示すため、匂い噴出装置のハウジングが省略されている。また、匂い噴出装置のカートリッジ、温度センサー、加熱機構、断熱材層、および絶縁層の位置関係を示すために、図３の分解斜視図の角度は、図中のＸＹＺ軸に示されているように、図１および図２の斜視図の角度とは異なっている。
【００３０】
図１〜図４に示す匂い噴出装置１は、芳香物質１００を収納しているカートリッジ６を所望の温度まで加熱し、所望の温度で芳香物質１００の揮発性の芳香成分を外部に噴出させるために用いられる。匂い噴出装置１は、匂い噴出装置１の各部品を収納するハウジング２と、ハウジング２内に設けられた基板３と、基板３の下面に搭載され、匂い噴出装置１の制御を行う制御ユニット４と、制御ユニット４からの制御に応じて、カートリッジ６内に気体を供給するための送風機構５と、送風機構５に接続され、芳香物質１００を収納するカートリッジ６と、基板３の上面に搭載され、外部機器との無線通信を実行するための無線通信ユニット７と、カートリッジ６の加熱のオン・オフと、カートリッジ６の温度設定を実行するためのスライダー式の加熱スイッチ８ａと、匂い噴出装置１から外部への芳香成分の流量を調整するための流量調整スイッチ８ｂと、匂い噴出装置１から外部への芳香成分の噴出をオン・オフするための噴出ボタン８ｃと、発光によりカートリッジ６が加熱されていることを表示するための発光部９と、カートリッジ６の温度を測定するための温度センサー１０（図３参照）と、カートリッジ６を覆うよう配置された上側断熱材層１１ａおよび下側断熱材層１１ｂと、カートリッジ６を加熱するための加熱機構１２（図３参照）と、加熱機構１２の短絡（ショート）を防止するための絶縁層１３（図３参照）と、バッテリー１４と、を備えている。
【００３１】
ハウジング２は、匂い噴出装置１の各コンポーネントを収納する機能を有している。ハウジング２は、長さ１１５ｍｍ×幅２０ｍｍ×高さ２５ｍｍ程度のサイズを有し、その角部がＲ面取り加工された長尺の角筒形状を有している。図１および図３に示すように、ハウジング２の下面には、カートリッジ６の取り換えを可能とするためのキャップ２１が着脱自在に取り付けられている。図３に示すように、匂い噴出装置１が組み立てられた状態において、ハウジング２の本体とキャップ２１とによって規定される空間内に、カートリッジ６、温度センサー１０、上側断熱材層１１ａ、下側断熱材層１１ｂ、加熱機構１２、絶縁層１３、および送風機構５の接続部５２が位置する。匂い噴出装置１のユーザーは、ハウジング２に取り付けられたキャップ２１を取り外すことにより、カートリッジ６を交換することができる。匂い噴出装置１のユーザーは、カートリッジ６を、別の芳香物質１００が収納されている別のカートリッジ６と交換することにより、匂い噴出装置１から外部に噴出される芳香成分を容易に変更することができる。
【００３２】
また、図１に示すように、ハウジング２の側面には、加熱機構１２によるカートリッジ６の加熱のオン・オフと、カートリッジ６の温度設定を実行するためのスライダー式の加熱スイッチ８ａをハウジング２外へ露出させるためのスリット２２が形成されている。また、ハウジング２の上面には、匂い噴出装置１から外部へ噴出される芳香成分の流量を調整するための流量調整スイッチ８ｂをハウジング２外へ突出させるための２つの矩形開口２３と、匂い噴出装置１から外部への芳香成分の噴出をオン・オフするための噴出ボタン８ｃをハウジング２外へ突出させるための円形開口２４とが形成されている。匂い噴出装置１のユーザーは、ハウジング２外へ露出または突出している加熱スイッチ８ａ、流量調整スイッチ８ｂ、および噴出ボタン８ｃを操作することにより、匂い噴出装置１の操作を実行することができる。また、ハウジング２の上面には、発光によりカートリッジ６が加熱されていることを表示するための発光部９をハウジング２外へ露出させるための破線状のリング開口２５が形成されており、匂い噴出装置１のユーザーは、破線状のリング開口２５を介してハウジング２外へ露出している発光部９を目視することにより、カートリッジ６の加熱が実行されているか否かを確認することができる。
【００３３】
また、図３に示すように、ハウジング２の本体のキャップ２１が取り外された部分には、第１の凹部２６が形成されている。匂い噴出装置１が組み立てられた状態において、カートリッジ６、上側断熱材層１１ａ、下側断熱材層１１ｂ、加熱機構１２、および絶縁層１３が第１の凹部２６内に位置する。さらに、第１の凹部２６には、第２の凹部２７が形成されている。匂い噴出装置１が組み立てられた状態において、温度センサー１０が第２の凹部２７内に位置する。
【００３４】
ハウジング２の構成材料は、特に限定されないが、例えば、金属材料、セラミック材料、樹脂材料、カーボン材等が挙げられる。これらの中でも、ハウジング２の加工の容易さおよびハウジング２の強度向上の観点からは、金属材料を用いてハウジング２を構成することが好ましい。また、ハウジング２の軽量化およびコスト削減の観点からは、樹脂材料を用いてハウジング２を構成することが好ましい。
【００３５】
基板３には、匂い噴出装置１の各種電子部品が搭載される。図２に示すように、基板３は、長尺の平板形状を有しており、ハウジング２内の基端側において、ビスやネジ等の任意の固定具によって、ハウジング２の上面および底面から離間した状態で、保持されている。基板３の短手方向の長さ（幅）は、ハウジング２の内側の短手方向の長さ（幅）と略等しく、基板３の長手方向の長さは、ハウジング２の長手方向の長さよりも短い。そのため、基板３がハウジング２内の基端側に固定的に配置されると、ハウジング２内の先端側には、バッテリー１４を収納するためのスペースが形成される。
【００３６】
制御ユニット４は、基板３の下面に搭載され、匂い噴出装置１の制御を実行する機能を有している。図４に示すように、制御ユニット４は、匂い噴出装置１の制御に必要な各種処理を実行するための制御部４１と、バッテリー１４またはその他電源が接続される電源ポート４２と、送風機構５、発光部９、温度センサー１０、および加熱機構１２へ電力を供給するための電源回路４３と、を備えている。
【００３７】
制御部４１は、演算処理を実行するためのプロセッサーと、匂い噴出装置１の制御を行うために必要なデータ、プログラム、モジュール等を保存しているメモリーとを備えており、制御部４１のプロセッサーは、メモリー内に保存されているデータ、プログラム、モジュール等を用いることにより、匂い噴出装置１の制御を実行する。また、制御部４１のプロセッサーは、匂い噴出装置１の基板３上に搭載された各種電子部品を用いることにより、所望の機能を提供することができる。例えば、制御部４１のプロセッサーは、電源回路４３を介して送風機構５に電力を供給し、送風機構５を駆動することにより、匂い噴出装置１から外部に芳香成分を噴出させることができ、さらに、電源回路４３を介して加熱機構１２に電力を供給し、加熱機構１２を駆動することにより、カートリッジ６を加熱することができる。
【００３８】
また、制御部４１は、匂い噴出装置１の内部または外部に設けられた１つ以上のセンサー１６から、有線通信または無線通信を介して、信号を受信するよう構成されていてもよい。この場合、制御部４１は、センサー１６から受信した信号に基づいて、匂い噴出装置１を制御可能となっている。制御部４１に信号を送信するセンサー１６としては、匂いセンサー、温度センサー、湿度センサー、音センサー、光センサー、熱センサー、人感センサー、圧力センサー、加速度センサー、力覚センサー、電流（または電圧）センサー、煙センサー、画像センサー、位置センサー等の任意の種類のセンサー、またはこれらの組み合わせを用いることができる。
【００３９】
制御部４１のプロセッサーは、例えば、１つ以上のマイクロプロセッサー、マイクロコンピューター、マイクロコントローラー、デジタル信号プロセッサー（ＤＳＰ）、中央演算処理装置（ＣＰＵ）、メモリーコントロールユニット（ＭＣＵ）、画像処理用演算処理装置（ＧＰＵ）、状態機械、論理回路、特定用途向け集積回路（ＡＳＩＣ）、またはこれらの組み合わせ等のコンピューター可読命令に基づいて信号操作等の演算処理を実行する演算ユニットである。特に、制御部４１のプロセッサーは、制御部４１のメモリー内に保存されているコンピューター可読命令（例えば、データ、プログラム、モジュール等）をフェッチし、信号操作および制御を実行するよう構成されている。
【００４０】
制御部４１のメモリーは、揮発性記憶媒体（例えば、ＲＡＭ、ＳＲＡＭ、ＤＲＡＭ）、不揮発性記憶媒体（例えば、ＲＯＭ、ＥＰＲＯＭ、ＥＥＰＲＯＭ、フラッシュメモリー）、またはこれらの組み合わせを含む着脱式または非着脱式のコンピューター可読媒体である。
【００４１】
電源ポート４２は、バッテリー１４や外部電源等の電源から制御ユニット４に電力を入力するために用いられる。電源ポート４２は、バッテリー１４等の電源から制御ユニット４の電源回路４３に電力を入力できれば特に限定されず、例えば、電力供給線を接続するための端子、ＵＳＢ電源ポート、ＡＴＡポート等が挙げられる。
【００４２】
電源回路４３は、レギュレーターＩＣ（Ｉｎｔｅｇｒａｔｅｄ  Ｃｉｒｃｕｉｔ）やＤＣＤＣコンバーターＩＣ等から構成され、制御部４１からの制御に応じて、電源ポート４２に接続されたバッテリー１４またはその他電源からの電力を、送風機構５、発光部９、温度センサー１０、および加熱機構１２へ電力を供給する機能を有している。制御部４１は、電源回路４３を用いて、送風機構５、発光部９、温度センサー１０、および加熱機構１２のそれぞれへの電力のオン・オフと、送風機構５、発光部９、温度センサー１０、および加熱機構１２のそれぞれへ供給される電力の電圧のコントロールを実行することができる。
【００４３】
匂い噴出装置１が小型の携帯機器として用いられる場合、電源ポート４２および電源回路４３を介して、バッテリー１４から、加熱機構１２に電力が供給される。この場合、加熱機構１２によるカートリッジ６の加熱スピードは、バッテリー１４の容量と電源回路４３によって決定される。しかしながら、匂い噴出装置１が小型の場合、匂い噴出装置１に搭載されるバッテリー１４も小型で低容量となり、加熱機構１２によるカートリッジ６の加熱スピードが遅くなる。そのため、電源ポート４２に、ＵＳＢ接続等を介して、外部電源が接続されている場合には、外部電源からの電力が、充電回路やバッテリー１４を経由せず、加熱機構１２に直接供給されるよう、制御部４１が構成されている。このような構成により、加熱機構１２によるカートリッジ６の加熱スピードを増加させることができ、ユーザーの利便性を高めることができる。
【００４４】
図２に戻り、送風機構５は、基板３の下方において、ハウジング２に対して固定的に取り付けられており、カートリッジ６内に気体を供給する機能を有している。送風機構５としては、例えば、モーターポンプ、ピエゾポンプ、扇風機、空気洗浄機、エアコン、ファンヒーター、ノック式ポンプ、口での気体（主として空気）の吸引または吹込により送風する機構、手動式のポンプ等を用いて送風する機構、ガスボンベ等の圧縮された気体（例えば、炭酸ガス、不活性ガス、希ガス等）を噴出することにより送風する機構、および、気流を発生させることによりカートリッジ６内に気体を送風することができるその他任意の機構を挙げることができる。本実施形態では、送風機構５は、送風部５１と、送風部５１からカートリッジ６へ供給される気体の流入経路として機能する接続部５２とを備えている。本実施形態では、送風部５１は、制御ユニット４によって駆動（制御）されるモーターと、モーターの駆動によって回転するローター（ファンまたはダイアフラム）と、モーターおよびローターを収納するケースとから構成され、カートリッジ６内に空気を供給する。以下、送風機構５からカートリッジ６内へ供給される気体は、空気であるものとして説明する。
【００４５】
制御ユニット４からの制御に応じて、送風部５１のモーターが駆動し、ローターが回転されると、接続部５２内に空気が送り出される。接続部５２内に送り出された空気は、カートリッジ６内へ流入する。
【００４６】
送風機構５からカートリッジ６内へ供給される空気の供給量は、ローターの回転速度に依存する。そのため、制御ユニット４を用いて、ローターの回転速度を制御することにより、送風機構５からカートリッジ６内へ供給される空気の供給量を調整することができる。具体的には、制御ユニット４は、電源回路４３を用いて、電源回路４３から送風機構５に供給される電力の電圧をコントロールすることにより、送風機構５からカートリッジ６内へ供給される空気の供給量を調整することができる。送風機構５からカートリッジ６内へ供給される空気の供給量は、少なくとも、カートリッジ６に対し、後述するカートリッジ６の第１の逆止弁６１および第２の逆止弁６３の開弁圧以上の圧力を加えることができるよう調整されている。
【００４７】
このような条件を満たしたうえで、さらに、送風機構５からカートリッジ６内へ供給される空気の供給量は、０．００１Ｌ／ｍｉｎ〜２．０Ｌ／ｍｉｎ程度であることが好ましく、０．０１Ｌ／ｍｉｎ〜１．０Ｌ／ｍｉｎ程度であることがより好ましい。空気の供給量が上記下限値未満であると、カートリッジ６外へ噴出される芳香成分の流量を十分に確保できず、芳香成分の種類によっては、ユーザーが芳香成分の匂いを確認できない場合がある。一方、空気の供給量が上記上限値を超えると、送風部５１のローターの回転速度が増加し、送風機構５から発生するノイズや振動が顕著になる場合がある。
【００４８】
送風機構５の接続部５２には、カートリッジ６が接続される。図５および図６に示すように、カートリッジ６は、直径１０ｍｍ×長さ７０ｍｍ程度の長尺の円筒形状を有しており、その内部に芳香物質１００が収納される。カートリッジ６は、空気流入口および空気噴出口を有し、揮発性の芳香成分を含む芳香物質１００を収納する収納部６２と、収納部６２の空気流入口に接続された第１の逆止弁６１と、収納部６２の空気噴出口に接続された第２の逆止弁６３と、を備えている。
【００４９】
収納部６２は、長尺の円筒形状を有し、その内部に、揮発性の芳香成分を含む芳香物質１００を収納している。収納部６２の基端側には、送風機構５から供給される空気が流入する空気流入口が形成されており、収納部６２の先端側には、空気と共に芳香成分を噴出させるための空気噴出口が形成されている。収納部６２内を空気が通過する際、収納部６２内を漂っている芳香物質１００の揮発性の芳香成分が空気によって搬送され、空気と共に収納部６２の空気噴出口から噴出する。
【００５０】
後述するように、カートリッジ６の収納部６２は、加熱機構１２によって加熱されるので、カートリッジ６の収納部６２は、加熱機構１２からの熱が伝導しやすい高い伝導率を有する金属材料で構成されている。金属材料の中でも、熱伝導率が高く、コストが安い銅またはアルミニウムを用いて、カートリッジ６の収納部６２が構成されていることが好ましい。
【００５１】
収納部６２内に収納される芳香物質１００は、揮発性の芳香成分を含んでいれば特に限定されず、コーヒー豆、茶葉、ハーブ、花、香木のような固体状の芳香物質、固体状の芳香物質を粉末状にすることにより得られるスパイスのような紛体状の芳香物質、香水や香油のような液状の芳香物質、人工的に合成した芳香成分を含む芳香物質等を収納部６２内に収納することができる。これら芳香成分は、種類に応じて、リラックス効果、目覚まし（覚醒）効果、食欲増進効果、集中力向上効果、鎮痛効果、消臭効果等の様々な効果を有している。
【００５２】
芳香物質１００が粉末状物質である場合には、粉末状の芳香物質１００をジェル状または固体状の担体に担持させた状態で、芳香物質１００を収納部６２内に収納することが好ましい。また、芳香物質１００が液状物質である場合には、スポンジ、布、繊維束芯のような液体を染み込ませ保持することができる担体に芳香物質１００を担持させた状態で、芳香物質１００を収納部６２内に収納することが好ましい。
【００５３】
特に、芳香物質１００が液状物質である場合には、ガラス材により構成された多孔質体に芳香物質１００を染み込ませ、該多孔質体を収納部６２内に収納することが好ましい。ガラス材は、芳香物質１００と反応し、芳香物質１００を変質させることがなく、さらに、ガラス材自身も芳香物質１００により溶け出したり、変質したりすることがない。そのため、芳香物質１００用の担体として、このようなガラス材により構成され、より多くの液状の芳香物質１００を担持することができる多孔質体を用いることにより、芳香物質１００の変質を防止すると同時に、収納部６２内に収納される芳香物質１００の量を増大させることができる。このようなガラス材により構成された多孔質体としては、例えば、ジーエルサイエンス株式会社製の香気成分捕集材「ＭｏｎｏＴｒａｐ（登録商標）」を用いることができる。
【００５４】
第１の逆止弁６１および第２の逆止弁６３は、収納部６２を密閉し、収納部６２内への空気の供給および収納部６２内から外部への空気の流出を制御する機能を有する。第１の逆止弁６１および第２の逆止弁６３としては、電磁石と弁体とを組み合わせ、電気のＯＮ／ＯＦＦで弁の開閉を実行する電磁弁、アンブレラ型の弁体を有し、所定の方向へしか空気を通さないよう構成されたアンブレラ型の逆止弁、鳥のくちばし（ダックビル）型の弁体を有し、所定の方向へしか空気を通さないように構成されたダックビル型の逆止弁、膜（シート）状または球状の弁体とその弁体を挟み込む容器で構成され、所定の方向へしか空気を通さないよう構成されたガス抜き型の逆止弁、スリットを開閉させることにより空気の通過を制御するスリット式バルブ等を用いることができる。
【００５５】
本実施形態では、第１の逆止弁６１および第２の逆止弁６３は、それぞれ、ダックビル型の逆止弁である。第１の逆止弁６１は、収納部６２の気体流入口に接続されており、第１の逆止弁６１に対する基端側からの圧力である上流側圧力Ｐ１と、第１の逆止弁６１に対する先端側からの圧力であるである下流側圧力Ｐ２との差圧（Ｐ１−Ｐ２）が所定の値Ｔｈ１（第１の逆止弁６１の開弁圧）以上となったときに、空気を通過させるよう構成されている。
【００５６】
すなわち、第１の逆止弁６１は、上流側圧力Ｐ１と、収納部６２の内圧である下流側圧力Ｐ２との差圧（Ｐ１−Ｐ２）が所定の値Ｔｈ１（第１の逆止弁６１の開弁圧）以上となったときにのみ、収納部６２内へ空気を流入させ、それ以外のときは、収納部６２内へ空気を流入させない弁として機能する。
【００５７】
また、第１の逆止弁６１は、上流側圧力Ｐ１が収納部６２の内圧である下流側圧力Ｐ２よりも、所定の値Ｔｈ１（第１の逆止弁６１の開弁圧）以上大きいときにのみ、空気を通過させるので、第１の逆止弁６１を介した収納部６２内から外部への空気の逆流が防止されている。すなわち、第１の逆止弁６１は、収納部６２内から外部への空気の逆流を防止する逆止弁としての機能も有している。
【００５８】
図６に示すように、第１の逆止弁６１は、ダックビル形状を有する弁体６１１と、弁体６１１を支持する円筒状の弁座６１２と、を備えている。弁座６１２の基端側の開口は、送風機構５の接続部５２に着脱可能に接続され、弁座６１２の先端側の開口は、収納部６２の空気流入口に接続されている。そのため、送風機構５から送られてくる空気は、第１の逆止弁６１を介して収納部６２内に供給され、さらに、収納部６２から送風機構５への空気の逆流が防止されている。
【００５９】
第１の逆止弁６１の弁体６１１は、弾性材料から構成された中空部材であり、フランジ部６１１１と、フランジ部６１１１から先端側に延伸し、鳥のくちばし（ダックビル）形状を形成する本体６１１２と、本体６１１２の先端の稜線部分に形成されたスリット６１１３と、を備えている。また、弁体６１１のフランジ部６１１１および本体６１１２は、一体成型されている。
【００６０】
第１の逆止弁６１の弁座６１２は、第１の逆止弁６１内を基端側と先端側に区画するための区画壁６１２１と、区画壁６１２１の略中央部に形成され、弁体６１１の本体６１１２を挿入するための挿入孔６１２２と、を備えている。
【００６１】
図６に示すように、弁体６１１のフランジ部６１１１は、弁座６１２の基端側の区画壁６１２１の面上に固定されている。また、弁体６１１の本体６１１２は、弁座６１２の挿入孔６１２２に挿入され、その稜線部分が弁座６１２の先端側に位置している。送風機構５から、第１の逆止弁６１に対して空気が供給されておらず、弁体６１１の本体６１１２の稜線部分に対する基端側からの上流側圧力Ｐ１と、弁体６１１の本体６１１２の稜線部分に対する先端側からの下流側圧力Ｐ２との差圧（Ｐ１−Ｐ２）が所定の値Ｔｈ１（第１の逆止弁６１の開弁圧）未満の場合において、弁体６１１の本体６１１２の稜線部分に形成されているスリット６１１３は、自己の弾性により閉じられている。そのため、第１の逆止弁６１を介した収納部６２内への空気の流入が防止されている。
【００６２】
送風機構５が駆動され、送風機構５から第１の逆止弁６１に対して空気が供給されると、弁体６１１の本体６１１２の稜線部分に対する基端側からの上流側圧力Ｐ１が増加する。その結果、上流側圧力Ｐ１と、収納部６２の内圧である下流側圧力Ｐ２との差圧（Ｐ１−Ｐ２）が所定の値Ｔｈ１（第１の逆止弁６１の開弁圧）以上になると、スリット６１１３が開き、空気が収納部６２内に流入する。
【００６３】
その後、上流側圧力Ｐ１と、下流側圧力Ｐ２との差圧（Ｐ１−Ｐ２）が所定の値Ｔｈ１（第１の逆止弁６１の開弁圧）未満になると、スリット６１１３が再び閉じ、第１の逆止弁６１を介した収納部６２内への空気の流入が終了する。
【００６４】
第２の逆止弁６３は、収納部６２の気体噴出口に接続されており、第２の逆止弁６３に対する基端側からの圧力である上流側圧力Ｐ１と、第２の逆止弁６３に対する先端側からの圧力である下流側圧力Ｐ２との差圧（Ｐ１−Ｐ２）が所定の値Ｔｈ２（第２の逆止弁６３の開弁圧）以上となったときに、空気を通過させるよう構成されている。
【００６５】
すなわち、第２の逆止弁６３は、収納部６２の内圧である上流側圧力Ｐ１と、下流側圧力Ｐ２との差圧（Ｐ１−Ｐ２）が所定の値Ｔｈ２（第２の逆止弁６３の開弁圧）以上となったときにのみ、収納部６２内から外部へ空気を流出させ、それ以外のときは、収納部６２内から外部へ空気を流出させない弁として機能する。
【００６６】
また、第２の逆止弁６３は、収納部６２の内圧である上流側圧力Ｐ１が下流側圧力Ｐ２よりも、所定の値Ｔｈ２（第２の逆止弁６３の開弁圧）以上大きいときにのみ、空気を通過させるので、第２の逆止弁６３を介した外部から収納部６２内への空気の逆流が防止されている。すなわち、第２の逆止弁６３は、外部から収納部６２内への空気の逆流を防止する逆止弁としての機能も有している。
【００６７】
図６に示すように、第２の逆止弁６３は、ダックビル形状を有する弁体６３１と、弁体６３１を支持する円筒状の弁座６３２と、を備えている。弁座６３２の基端側の開口は、収納部６２の空気流出口に着脱可能に接続され、弁座６３２の先端側の開口は、ハウジング２の外部に露出している（図１参照）。そのため、収納部６２内を通過した空気は、収納部６２内に漂っている芳香成分と共に、第２の逆止弁６３を介してカートリッジ６外へ噴出する。
【００６８】
第２の逆止弁６３の弁体６３１は、弾性材料から構成された中空部材であり、フランジ部６３１１と、フランジ部６３１１から先端側に延伸し、鳥のくちばし（ダックビル）形状を形成する本体６３１２と、本体６３１２の先端の稜線部分に形成されたスリット６３１３と、を備えている。また、弁体６３１のフランジ部６３１１および本体６３１２は、一体成型されている。
【００６９】
第２の逆止弁６３の弁座６３２は、第２の逆止弁６３内を基端側と先端側に区画するための区画壁６３２１と、区画壁６３２１の略中央部に形成され、弁体６３１の本体６３１２を挿入するための挿入孔６３２２と、を備えている。
【００７０】
弁体６３１のフランジ部６３１１は、弁座６３２の基端側の区画壁６３２１の面上に固定されている。また、弁体６３１の本体６３１２は、弁座６３２の挿入孔６３２２に挿入され、その稜線部分が弁座６３２の先端側に位置している。収納部６２内に空気が供給されておらず、弁体６３１の本体６３１２の稜線部分に対する基端側からの上流側圧力Ｐ１と、弁体６３１の本体６３１２の稜線部分に対する先端側からの下流側圧力Ｐ２との差圧（Ｐ１−Ｐ２）が所定の値Ｔｈ２（第２の逆止弁６３の開弁圧）未満の場合において、弁体６３１の本体６３１２の稜線部分に形成されているスリット６３１３は、自己の弾性により閉じられている。そのため、第２の逆止弁６３を介した収納部６２内への空気の逆流が防止されている。
【００７１】
送風機構５から第１の逆止弁６１を介して収納部６２内に空気が供給されると、収納部６２の内圧が増加し、第２の逆止弁６３の本体６３１２の稜線部分に対する基端側からの上流側圧力Ｐ１が増加する。その結果、上流側圧力Ｐ１と、第２の逆止弁６３の本体６３１２の稜線部分に対する下流側圧力Ｐ２との差圧（Ｐ１−Ｐ２）が所定の値Ｔｈ２（第２の逆止弁６３の開弁圧）以上になると、スリット６３１３が開く。この際、収納部６２内に漂っていた芳香物質１００の芳香成分と共に、空気が、第２の逆止弁６３を介してカートリッジ６の外部に噴出する。なお、この際、カートリッジ６の外部に噴出される空気および芳香物質１００の芳香成分の量は、送風機構５からカートリッジ６内に供給される空気の量を調整することにより、変更することができる。
【００７２】
その後、送風機構５の駆動が停止され、第１の逆止弁６１を介した送風機構５から収納部６２への空気の流入が停止すると、収納部６２の内圧が低下する。その結果、収納部６２の内圧である上流側圧力Ｐ１と、下流側圧力Ｐ２との差圧（Ｐ１−Ｐ２）が所定の値Ｔｈ２（第２の逆止弁６３の開弁圧）未満になると、スリット６３１３が再び閉じ、カートリッジ６から外部への空気および芳香物質１００の芳香成分の噴出が停止する。
【００７３】
このような構成によって、第１の逆止弁６１および第２の逆止弁６３は、送風機構５からカートリッジ６内に供給される空気の流れを一定方向に保ち、空気の逆流を防止する機能を有する。
【００７４】
なお、第１の逆止弁６１の弁体６１１および第２の逆止弁６３の弁体６３１を構成する弾性材料は、樹脂材料またはゴム等の高い弾性を有する材料であることが好ましく、高い弾性を有し、優れた耐ガス性および耐溶液性を有するフッ素系樹脂であることがさらに好ましい。また、第１の逆止弁６１の弁座６１２および第２の逆止弁６３の弁座６３２は、収納部６２と同じ金属材料で構成されていてもよいし、硬質かつ耐熱性の樹脂材料で構成されていてもよい。
【００７５】
また、第１の逆止弁６１の弁体６１１および第２の逆止弁６３の弁体６３１は、弾性材料から構成されているので、第１の逆止弁６１の弁体６１１の弁座６１２に対する取り付けおよび取り外し、並びに、第２の逆止弁６３の弁体６３１の弁座６３２に対する取り付けおよび取り外しを容易に実行することができる。そのため、第１の逆止弁６１は、弁体６１１を弁座６１２から取り外すことにより、容易に分解することができる。同様に、第２の逆止弁６３は、弁体６３１を弁座６３２から取り外すことにより、容易に分解することができる。
【００７６】
カートリッジ６の収納部６２内に収納されている芳香物質１００を別の種類の芳香物質１００に変更する際には、異なる種類の芳香物質１００の混合を防ぐため、収納部６２、第１の逆止弁６１、および第２の逆止弁６３に付着している芳香物質１００を洗浄等により除去する必要がある。前述のように、第１の逆止弁６１および第２の逆止弁６３は、収納部６２に着脱可能に接続されているため、第１の逆止弁６１および第２の逆止弁６３を収納部６２から取り外すことにより、洗浄等により、収納部６２内部に付着している芳香物質１００を容易に除去することができる。
【００７７】
また、上述のように、第１の逆止弁６１および第２の逆止弁６３は、分解することができる。そのため、第１の逆止弁６１および第２の逆止弁６３を分解することにより、洗浄等により、第１の逆止弁６１の弁座６１２および第２の逆止弁６３の弁座６３２に付着している芳香物質１００を容易に除去することができる。
【００７８】
一方、図示のような弾性材料製のダックビル型またはアンブレラ型の弁体６１１、６３１は、安価に製造することができる。そのため、カートリッジ６の収納部６２内に収納されている芳香物質１００を別の種類の芳香物質１００に交換する際には、第１の逆止弁６１の弁体６１１および第２の逆止弁６３の弁体６３１を、新しい弁体に低コストで交換することができる。そのため、本発明の匂い噴出装置のカートリッジ６では、カートリッジ６の収納部６２内に収納されている芳香物質１００を異なる種類に変え、噴出させる芳香成分を気軽に変更することができる。
【００７９】
また、図示の例では、第１の逆止弁６１および第２の逆止弁６３は、同一の構成を有しており、第１の逆止弁６１の開弁圧Ｔｈ１と第２の逆止弁６３の開弁圧Ｔｈ２は、同一であるが、本発明はこれに限られない。例えば、第１の逆止弁６１の開弁圧Ｔｈ１と第２の逆止弁６３の開弁圧Ｔｈ２は、互いに異なっていてもよい。
【００８０】
また、カートリッジ６には、カートリッジ６を特定するために読み取られるＲＦＩＤ（Ｒａｄｉｏ  Ｆｒｅｑｕｅｎｃｙ  Ｉｄｅｎｔｉｆｉｅｒ）タグ等の認識タグ１５（図４参照）が取り付けられている。制御ユニット４は、カートリッジ６の認識タグ１５を読み込むことにより、カートリッジ６を特定することができる。
【００８１】
図２に戻り、無線通信ユニット７は、基板３の上面の基端側に搭載されており、匂い噴出装置１と、スマートフォン、携帯電話、タブレットのようなユーザー端末や外部サーバー等の外部機器との間の無線通信を実行する機能を有している。無線通信ユニット７は、匂い噴出装置１と、外部機器との間の無線通信を実行することができれば特に限定されないが、例えば、ＢＬＥ（Ｂｌｕｅｔｏｏｔｈ（登録商標）  Ｌｏｗ  Ｅｎｅｒｇｙ）無線通信技術を用いた無線通信ユニットを無線通信ユニット７として用いることができる。制御ユニット４の制御部４１は、無線通信ユニット７を用いた無線通信によって、外部機器とのデータや信号の授受を実行する。
【００８２】
また、基板３の上面の基端側には、加熱機構１２によるカートリッジ６の加熱のオン・オフと、カートリッジ６の温度設定を実行するためのスライダー式の加熱スイッチ８ａが搭載されている。匂い噴出装置１のユーザーは、ハウジング２のスリット２２を介して外部に露出している加熱スイッチ８ａ（図１参照）をスライドすることにより、加熱機構１２によるカートリッジ６の加熱のオン・オフを実行することができる。さらに、匂い噴出装置１のユーザーは、加熱スイッチ８ａのスライド量を調整することにより、カートリッジ６の温度を設定することができる。また、加熱スイッチ８ａは、ハウジング２のスリット２２を介してハウジング２外へ露出し、スライド操作される部分の高さが、ハウジング２の表面高さと等しくなるよう構成されている。これにより、指の引っ掛かり等により、加熱スイッチ８ａのスライド操作が意図せず実行され、カートリッジ６の加熱が意図せず実行されることを防止することができる。
【００８３】
加熱スイッチ８ａのスライド状態と、加熱機構１２によるカートリッジ６の加熱のオン・オフおよびカートリッジ６の設定温度との対応付けの方法は特に限定されない。例えば、加熱スイッチ８ａが、自身のスライド可能範囲内において最も左側に位置している状態が、加熱機構１２によるカートリッジ６の加熱が実行されていないオフ状態に対応し、加熱スイッチ８ａがオフ状態から右側にスライドされた状態が、加熱機構１２によるカートリッジ６の加熱が実行されているオン状態に対応するよう、加熱スイッチ８ａを構成してもよい。この場合、オフ状態から右側への加熱スイッチ８ａのスライド量が、カートリッジ６の設定温度に対応し、オフ状態から右側への加熱スイッチ８ａのスライド量を調整することにより、カートリッジ６の設定温度を調整することができる。
【００８４】
加熱スイッチ８ａのスライド量によって決定されるカートリッジ６の設定温度の範囲は特に限定されないが、例えば、３０〜８０℃の範囲である。本発明の匂い噴出装置１では、このように広い範囲でカートリッジ６の温度を設定可能であるため、様々な用途で本発明の匂い噴出装置１を利用することができる。例えば、人肌の表面温度（約３０〜３７℃）にカートリッジ６の温度を設定することにより、匂い噴出装置１から、人肌の表面温度の芳香成分を噴出させることができる。これにより、化粧品や香水の商品開発や販売促進に、本発明の匂い噴出装置１を利用することができる。また、料理の加熱温度（例えば、５０〜８０℃）にカートリッジ６の温度を設定することにより、匂い噴出装置１から、料理の加熱温度の芳香成分を噴出させることができる。これにより、食品に用いられるスパイスの商品開発や販売促進に、本発明の匂い噴出装置１を利用することができる。
【００８５】
また、常温では揮発しづらい芳香成分を含む芳香物質１００がカートリッジ６の収納部６２内に収納されている場合であっても、カートリッジ６の温度を高く設定することにより、ユーザーは、匂い噴出装置１から噴出される芳香物質１００の芳香成分の匂いを強く感じることができる。また、匂い噴出装置１が寒冷地で使用される場合であっても、カートリッジ６を加熱することにより、ユーザーは、匂い噴出装置１から噴出される芳香物質１００の芳香成分の匂いを強く感じることができる。
【００８６】
加熱スイッチ８ａに対するユーザーの操作は、制御ユニット４の制御部４１に送信され、制御部４１は、加熱スイッチ８ａに対するユーザーの操作に応じて、加熱機構１２を制御する。加熱スイッチ８ａが、ユーザーによって、オフ状態からスライドされると、制御部４１は、電源回路４３を用いて、加熱機構１２に電力を供給し、加熱機構１２を駆動する。また、制御部４１は、加熱スイッチ８ａのスライド量に基づいて、カートリッジ６の設定温度を判断することができる。
【００８７】
さらに、基板３の上面であって、無線通信ユニット７よりも先端側には、匂い噴出装置１から外部への芳香成分の流量を調整するための流量調整スイッチ８ｂが搭載されている。流量調整スイッチ８ｂは、芳香成分の流量を増加させるためのスイッチと、芳香成分の流量を減少させるためのスイッチから構成されている。匂い噴出装置１のユーザーは、ハウジング２の２つの矩形開口２３のそれぞれを介して外部に突出している流量調整スイッチ８ｂの芳香成分の流量増加用のスイッチまたは芳香成分の流量減少用のスイッチを押下することにより、匂い噴出装置１から外部への芳香成分の流量を調整することができる。
【００８８】
流量調整スイッチ８ｂに対するユーザーの操作は、制御ユニット４の制御部４１に送信され、制御部４１は、流量調整スイッチ８ｂに対するユーザーの操作に応じて、電源回路４３から送風機構５に供給される電力の電圧を変更する。その結果、送風機構５の駆動時における、送風機構５の送風部５１のローターの回転速度が変更され、送風機構５からカートリッジ６内へ供給される空気の供給量が変更される。そのため、制御部４１は、匂い噴出装置１から外部への芳香成分の流量を調整することができる。
【００８９】
さらに、基板３の上面であって、流量調整スイッチ８ｂよりも先端側には、匂い噴出装置１から外部への芳香成分の噴出をオン・オフするための噴出ボタン８ｃが搭載されている。匂い噴出装置１のユーザーは、ハウジング２の円形開口２４を介して外部に突出している噴出ボタン８ｃを押下することにより、匂い噴出装置１から外部への芳香成分の噴出のオン・オフを実行することができる。
【００９０】
噴出ボタン８ｃに対するユーザーの操作は、制御ユニット４の制御部４１に送信される。匂い噴出装置１から外部への芳香成分の噴出が実行されていないとき（オフ状態時）に噴出ボタン８ｃが押下されると、制御部４１は、電源回路４３を用いて、送風機構５に電力を供給し、送風機構５を駆動する。この際、制御部４１は、匂い噴出装置１から外部へ噴出される芳香成分の流量が、流量調整スイッチ８ｂに対する操作によって決定される流量となるような電圧で、電源回路４３を介して、送風機構５に電力を供給する。上述のように、送風機構５が駆動され、送風機構５からカートリッジ６内に空気が供給されると、収納部６２内に漂っていた芳香物質１００の芳香成分と共に、空気がカートリッジ６の外部に噴出する。そのため、匂い噴出装置１から外部への芳香成分の噴出を実行することができる。
【００９１】
一方、匂い噴出装置１から外部への芳香成分の噴出が実行されているとき（オン状態時）に噴出ボタン８ｃが押下されると、制御部４１は、電源回路４３を介した送風機構５への電力の供給を停止し、送風機構５の駆動を終了する。送風機構５の駆動が停止されると、匂い噴出装置１から外部への芳香成分の噴出が終了する。
【００９２】
さらに、基板３の上面には、発光によりカートリッジ６が加熱されていることを表示するための発光部９が、噴出ボタン８ｃを取り囲むようにして搭載されている。制御ユニット４は、加熱機構１２によるカートリッジ６の加熱が実行されている間、電源回路４３を介して、発光部９に電力を供給し、駆動する。発光部９の上端部は、ハウジング２の破線状のリング開口２５に対応した形状を有しており、匂い噴出装置１のユーザーは、ハウジング２の破線状のリング開口２５を介して外部に露出している発光部９を目視することにより、加熱機構１２によるカートリッジ６の加熱が実行されているか否かを一目で把握することができる。発光部９は、特に限定されないが、例えば、ＬＥＤを発光部９として用いることができる。
【００９３】
図３に示されている温度センサー１０は、カートリッジ６の温度を検出する機能を有している。より具体的には、匂い噴出装置１が組み立てられた状態において、温度センサー１０は、カートリッジ６の収納部６２の外周部の中腹部に接触するよう設けられており、カートリッジ６の収納部６２の外側温度を検出する。温度センサー１０は、制御ユニット４に有線接続されており、検出したカートリッジ６の収納部６２の外側温度を制御ユニット４の制御部４１に送信する。制御部４１は、加熱スイッチ８ａに対するスライド操作により、カートリッジ６に対する加熱がオンされたタイミングで、電源回路４３を介して温度センサー１０に電力を供給し、温度センサー１０を駆動することにより、カートリッジ６の収納部６２の外側温度を検出する。
【００９４】
制御ユニット４の制御部４１のメモリー内には、事前に取得されたカートリッジ６の収納部６２の外側温度から、カートリッジ６の収納部６２の内部温度を算出するための情報（数式やルックアップテーブル等）が保存されている。制御ユニット４の制御部４１は、メモリー内に保存されているそのような情報を参照することにより、温度センサー１０が検出したカートリッジ６の収納部６２の外側温度から、カートリッジ６の収納部６２の内部温度を算出することができる。
【００９５】
制御ユニット４の制御部４１は、加熱スイッチ８ａのスライド量によって決定されたカートリッジ６の設定温度と、算出したカートリッジ６（収納部６２）の内部温度とに基づいて、加熱機構１２を制御することにより、カートリッジ６（収納部６２）の内部温度を設定された温度とすることができる。
【００９６】
図７には、制御部４１によって実行される加熱機構１２の制御方法Ｓ１００のフローチャートが示されている。加熱機構１２によるカートリッジ６の加熱が実行されていない状態（オフ状態）において、ユーザーによって加熱スイッチ８ａがスライド操作されると（工程Ｓ１０１）、制御ユニット４の制御部４１によって、加熱機構１２の制御方法Ｓ１００が実行される。工程Ｓ１０２において、制御部４１は、電源回路４３を介して温度センサー１０に電力を供給し、温度センサー１０を駆動する。温度センサー１０が駆動されると、温度センサー１０によってカートリッジ６の収納部６２の外側温度が検出され、制御部４１に送信される。
【００９７】
制御部４１は、温度センサー１０から受信したカートリッジ６の収納部６２の外側温度と、メモリー内に保存されている情報とに基づいて、カートリッジ６（収納部６２）の内部温度を算出する。その後、制御ユニット４の制御部４１は、算出したカートリッジ６（収納部６２）の内部温度と、加熱スイッチ８ａのオフ状態からのスライド量によって決定されるカートリッジ６の設定温度とを比較する。
【００９８】
工程Ｓ１０２において、算出したカートリッジ６（収納部６２）の内部温度がカートリッジ６の設定温度未満であると判断された場合には、制御方法Ｓ１００は、工程Ｓ１０３に移行する。工程Ｓ１０３において、制御部４１によって、電源回路４３を介して、加熱機構１２に電力が供給され、加熱機構１２が駆動される。加熱機構１２が駆動されると、カートリッジ６の収納部が加熱される。
【００９９】
一方、工程Ｓ１０２において、算出したカートリッジ６（収納部６２）の内部温度がカートリッジ６の設定温度以上であると判断された場合には、制御方法Ｓ１００は、工程Ｓ１０４に移行する。工程Ｓ１０４において、制御部４１によって、電源回路４３を介した加熱機構１２への電力供給が停止され、加熱機構１２の駆動が停止される。
【０１００】
工程Ｓ１０３または工程Ｓ１０４の実行後、所定の時間間隔（例えば、３０秒に一回、１分に１回等）で、制御方法Ｓ１００は、工程Ｓ１０２を再度実行する。このような制御方法Ｓ１００は、加熱スイッチ８ａに対するスライド操作によって、カートリッジ６に対する加熱がオフされるまで、繰り返して実行される。
【０１０１】
制御部４１は、このような制御方法Ｓ１００を実行することにより、カートリッジ６（収納部６２）の内部温度を、加熱スイッチ８ａのスライド量によって決定されたカートリッジ６の設定温度に維持することができる。
【０１０２】
図２に戻り、上側断熱材層１１ａおよび下側断熱材層１１ｂは、カートリッジ６の収納部６２を覆うよう設けられ、カートリッジ６を保温するとともに、加熱機構１２から発せられる熱によって、匂い噴出装置１の各種電子部品が悪影響を受けることを防止する機能を有している。上側断熱材層１１ａおよび下側断熱材層１１ｂは、グラスウール等の断熱材料により構成されたシート状部材であり、上側断熱材層１１ａは、カートリッジ６の収納部６２の上側部分に対応した形状を有し、下側断熱材層１１ｂは、カートリッジ６の収納部６２の下側部分に対応した形状を有している。
【０１０３】
上側断熱材層１１ａは、カートリッジ６の収納部６２の上側部分を覆うようにカートリッジ６上に載置される。図３に示すように、匂い噴出装置１が組み立てられた状態において、上側断熱材層１１ａの外面は、ハウジング２の第１の凹部２６と接触し、上側断熱材層１１ａの内面は、絶縁層１３を介して、カートリッジ６の収納部６２の上側部分と接触する。また、上側断熱材層１１ａには、温度センサー１０をカートリッジ６の収納部６２の外周部に接触させるための開口１１１が形成されている。
【０１０４】
下側断熱材層１１ｂは、カートリッジ６の収納部６２の下側部分を覆うように設けられる。上側断熱材層１１ａおよび下側断熱材層１１ｂによってカートリッジ６の収納部６２の外周部全体が覆われるので、カートリッジ６を保温することができる。
【０１０５】
また、図３に示すように、上側断熱材層１１ａの内面には、加熱機構１２が設けられている。加熱機構１２は、制御ユニット４の電源回路４３から電力を供給されたときに発熱し、カートリッジ６を加熱可能な電熱線（ニクロム線）やペルチェ素子から構成することができる。本実施形態では、加熱機構１２は、上側断熱材層１１ａの内面に固定された電熱線である。電熱線の両端部は、制御ユニット４に接続されており、制御ユニット４の電源回路４３から電力を供給されたときに発熱し、カートリッジ６の収納部６２を加熱する。
【０１０６】
なお、図示の形態では、電熱線は、電熱線と、カートリッジ６の収納部６２との接触面積を増大させるために、カートリッジ６の収納部６２の上側部分を覆うジグザグパターンを形成している。これにより、カートリッジ６の収納部６２全体を同時に加熱することができる。上述のように、送風機構５が駆動すると、カートリッジ６の収納部６２内を空気が通過するので、カートリッジ６の収納部６２の内部温度は低下しやすい。そのため、カートリッジ６の収納部６２の一部分だけを加熱した場合、カートリッジ６の収納部６２の内部温度が低下しやすいという問題がある。本発明の匂い噴出装置１では、電熱線は、カートリッジ６の収納部６２の上側部分を覆うジグザグパターンを形成しているため、カートリッジ６の収納部６２全体を同時に加熱することができる。そのため、カートリッジ６の収納部６２の内部温度の低下を抑制することができる。
【０１０７】
なお、電熱線のパターンは、カートリッジ６の収納部６２の少なくとも一部分を覆い、カートリッジ６の収納部６２全体を同時に温めることができれば、特に限定されない。例えば、電熱線は、電熱線をカートリッジ６の収納部６２の外周部の周辺に巻き付けることにより形成され、カートリッジ６の収納部６２の外周部の全てを覆うパターン（コイルパターン）を有していてもよい。
【０１０８】
また、上述のようにカートリッジ６の収納部６２は金属材料で構成されているので、カートリッジ６と電熱線の短絡（ショート）を防止するための絶縁層１３が、カートリッジ６の収納部６２と、電熱線との間に設けられている。絶縁層１３は、耐熱性があり、熱伝導率の高い絶縁材料から構成されており、電熱線から発せられた熱は、絶縁層１３を介して、カートリッジ６の収納部６２に伝達される。また、絶縁層１３の上側断熱材層１１ａの開口１１１に対応する位置には、温度センサー１０をカートリッジ６の収納部６２の外周部に接触させるための開口１３１が形成されている。匂い噴出装置１が組み立てられた状態において、温度センサー１０は、上側断熱材層１１ａの開口１１１および絶縁層１３の開口１３１を介して、カートリッジ６の収納部６２の外周部に接触する。これにより、温度センサー１０によって、カートリッジ６の収納部６２の外側温度を検出することができる。
【０１０９】
図２に戻り、バッテリー１４は、ハウジング２内の先端側に固定的に配置されており、制御ユニット４の電源ポート４２に接続され、制御ユニット４に電力を供給する。バッテリー１４は、リチウムイオン二次電池のような再充電が可能なバッテリーであってもよいし、乾電池のような使い捨てのバッテリーであってもよい。
【０１１０】
なお、上述の説明では、匂い噴出装置１のユーザーは、加熱スイッチ８ａ、流量調整スイッチ８ｂ、および噴出ボタン８ｃを手動で操作することにより、上述の匂い噴出装置１の各操作を実行するが、本発明はこれに限られない。例えば、制御ユニット４の制御部４１は、上述の匂い噴出装置１の各操作を、制御部４１のメモリー内に保存されているデータ、プログラム、モジュール等、または１つ以上のセンサー１６から受信した信号を用いて自動的に実行してもよい。
【０１１１】
例えば、制御部４１は、タイマー機能を有しており、タイマー機能を利用して、所定の時間間隔毎に送風機構５を駆動し、匂い噴出装置１の外部に芳香成分を噴出させてもよい。また、制御部４１は、カートリッジ６の認識タグ１５を識別するための認識タグ識別機能を有しており、認識タグ識別機能を用いて、カートリッジ６の認識タグ１５を識別することにより、カートリッジ６を特定し、さらに、カートリッジ６の収納部６２内に収納されている芳香物質１００の種類に応じて、匂い噴出装置１からの芳香成分の流量を調整してもよい。
【０１１２】
例えば、収納部６２内に収納されている芳香物質１００が比較的強い匂いの芳香成分を含んでいる場合、制御部４１は、送風機構５へ供給される電力の電圧を低下させ、カートリッジ６外へ噴出される芳香成分の流量を減らす。逆に、収納部６２内に収納されている芳香物質１００が比較的弱い匂いの芳香成分を含んでいる場合、制御部４１は、送風機構５へ供給される電力の電圧を上昇させ、カートリッジ６外へ噴出される芳香成分の流量を増やす。
【０１１３】
さらに、制御部４１は、送風機構５のローターの回転数をカウントするカウント機能を有しており、カウント機能を用いて、上述の匂い噴出装置１の各操作を実行してもよい。例えば、制御部４１は、認識タグ識別機能を利用して、カートリッジ６が取り換えられたことを検知し、さらに、カウント機能を利用してカートリッジ６が取り換えられたときからの送風機構５のローターの回転数をカウントし、送風機構５のローターの回転数に基づいて収納部６２内の芳香成分の残量を判別してもよい。判別された収納部６２内の芳香成分の残量は、カートリッジ６外へ噴出される芳香成分の流量を一定に保つために利用することができる。
【０１１４】
具体的には、収納部６２内の芳香成分の残量が多い場合には、収納部６２内を漂う芳香成分の密度が高い。そのため、制御部４１は、送風機構５へ供給される電力の電圧を低下させ、送風機構５からカートリッジ６の収納部６２内への空気の供給量を減らす。一方、収納部６２内の芳香成分の残量が少ない場合には、収納部６２内を漂う芳香成分の密度が低い。そのため、制御部４１は、送風機構５へ供給される電力の電圧を上昇させ、送風機構５からカートリッジ６の収納部６２内への空気の供給量を増やす。このような制御により、収納部６２内の芳香成分の残量に関わらず、カートリッジ６外へ噴出される芳香成分の流量を一定にすることができる。
【０１１５】
また、制御部４１は、収納部６２内の芳香成分の残量が所定の量以下になったと判別した場合、無線通信ユニット７用いて、ユーザー端末や外部サーバー等の外部機器に、カートリッジ６の取り換え時期が近付いてきていることを通知してもよい。また、制御部４１は、所定の時間間隔で、無線通信ユニット７用いて、ユーザー端末や外部サーバー等の外部機器に、収納部６２内の芳香成分の残量を送信してもよい。これにより、匂い噴出装置１のユーザーまたは管理者は、カートリッジ６の取り換え時期や収納部６２内の芳香成分の残量を正確に把握することができる。
【０１１６】
また、制御部４１は、所定の期間（例えば、数時間、１日、１週間、１ヶ月）における収納部６２から外部への芳香成分の流量、バッテリー１４の電力残量、送風機構５の駆動時間（すなわち、収納部６２内の芳香成分の噴出時間）、収納部６２内の芳香成分の種類等の匂い噴出装置１に関する各種情報を、無線通信ユニット７を用いて、ユーザー端末や外部サーバーに送信してもよい。これにより、匂い噴出装置１のユーザーまたは管理者は、ユーザー端末や外部サーバー内に蓄積された匂い噴出装置１に関する各種情報に基づいて、匂い噴出装置１の状態を知ることができる。また、匂い噴出装置１のユーザーまたは管理者は、ユーザー端末や外部サーバー内に蓄積された匂い噴出装置１に関する各種情報を分析することにより、匂い噴出装置１の使用やマーケティングに有用な情報を取得することができる。例えば、匂い噴出装置１のユーザーまたは管理者は、ユーザー端末や外部サーバー内に蓄積された匂い噴出装置１に関する各種情報を分析することにより、どの程度の頻度でカートリッジ６の取り換えが発生するか、どの種類の芳香成分が最も良く消費されるか等の情報を取得することができる。
【０１１７】
また、制御部４１は、１つ以上のセンサー１６から受信した信号に基づいて、送風機構５への電力の供給のオン・オフおよびカートリッジ６外へ噴出される芳香成分の流量の変更を実行してもよい。
【０１１８】
例えば、センサー１６が人感センサーである場合、センサー１６を用いることにより、所定の場所に人が存在することを検出することができる。センサー１６が所定の場所に人が存在することを検出し、制御部４１に信号を送信すると、制御部４１は、匂い噴出装置１を駆動させる。これにより、確実に人が存在するときに、自動で匂い噴出装置１を駆動させることや、人が存在するときに、カートリッジ６外へ噴出される芳香成分の流量を自動で増やす（または減らす）といった制御が可能となる。
【０１１９】
また、例えば、センサー１６が光センサーである場合、センサー１６を用いることにより、匂い噴出装置１が取り付けられた場所（例えば、寝室、玄関等）の明るさを検出することができる。制御部４１は、センサー１６から受信した信号に基づいて、匂い噴出装置１の駆動の自動的なオン・オフおよび／またはカートリッジ６外へ噴出される芳香成分の流量の自動的な制御を実行する。匂い噴出装置１が寝室に取り付けられている場合、制御部４１は、寝室の明るさの急激な低下を示す信号をセンサー１６から受信すると、寝室の灯りが消されたものと判断し、リラックス効果または安眠効果のある芳香成分を噴出させるよう構成されていてもよい。また、制御部４１は、寝室の明るさが徐々に増加しており、かつ、ある所定の閾値を越えたことを示す信号をセンサー１６から受信すると、夜が明けたものと判断し、覚醒効果のある芳香成分を噴出させるよう構成されていてもよい。また、制御部４１は、寝室の明るさの増加に応じて、覚醒効果のある芳香成分の流量を徐々に増加させるよう構成されていてもよい。
【０１２０】
このように、制御部４１が、１つ以上のセンサー１６から受信した信号に基づいて、送風機構５への電力の供給のオン・オフおよびカートリッジ６外へ噴出される芳香成分の流量の変更を実行することにより、様々な状況に応じた匂い噴出装置１の駆動の自動的なオン・オフおよびカートリッジ６外へ噴出される芳香成分の流量の自動的な制御が可能となる。
【０１２１】
以上説明したように、本発明の匂い噴出装置１は、カートリッジ６の収納部６２を加熱するための加熱機構１２を有している。そのため、加熱機構１２を用いて、芳香物質１００が収納されているカートリッジ６を加熱することにより、所望の温度の芳香成分を匂い噴出装置１から噴出させることができる。これにより、所望の温度の芳香物質１００の匂いを噴出できるため、常温での匂いが弱い芳香物質１００（例えば、お茶、茶葉、香草）の匂いを、より強く空気中に噴出させることができる。また、芳香物質１００が収納されているカートリッジ６を加熱することができるため、冬場や寒冷地等での低温環境下において本発明の匂い噴出装置１を用いた場合であっても、ユーザーは、芳香物質１００の匂いを強く感じることができる。
【０１２２】
さらに、本発明の匂い噴出装置１によれば、商品（例えば、化粧品、香水、スパイス、アロマオイル）の使用環境における温度での芳香物質１００の匂いを確認することができるため、本発明の匂い噴出装置１を、商品開発や販売促進のための匂いテスターとして有効に活用することができる。
【０１２３】
さらに、本発明の匂い噴出装置１のカートリッジ６では、芳香物質１００を収納する収納部６２の空気流入口および空気噴出口のそれぞれに、弾性材料（例えば、樹脂材料やゴム）製のダックビル型またはアンブレラ型の弁体６１１および該弁体６１１を支持する弁座６１２を有する第１の逆止弁６１および弾性材料製のダックビル型またはアンブレラ型の弁体６３１および該弁体６３１を支持する弁座６３２を有する第２の逆止弁６３が着脱可能に接続されている。第１の逆止弁６１および第２の逆止弁６３を収納部６２から取り外すことにより、収納部６２内を容易に洗浄することができる。そのため、カートリッジ６の収納部６２内に収納されている芳香物質１００を別の種類の芳香物質１００に変更する際には、洗浄により、収納部６２内部に付着している芳香物質１００を容易に除去することができる。
【０１２４】
また、第１の逆止弁６１は、弾性材料製の弁体６１１を弁座６１２から取り外すことにより、容易に分解することができ、弁体６１１が取り外された弁座６１２は容易に洗浄することができる。同様に、第２の逆止弁６３は、弾性材料製の弁体６３１を弁座６３２から取り外すことにより、容易に分解することができ、弁体６３１が取り外された弁座６３２は容易に洗浄することができる。そのため、カートリッジ６の収納部６２内に収納されている芳香物質１００を別の種類の芳香物質１００に変更する際には、洗浄により、弁座６１２、６３２に付着している芳香物質を容易に除去することができる。
【０１２５】
また、第１の逆止弁６１および第２の逆止弁６３の弾性材料製のダックビル型またはアンブレラ型の弁体６１１、６３１は、安価に製造することができる。そのため、カートリッジ６の収納部６２内に収納されている芳香物質１００を別の種類の芳香物質１００に交換する際には、第１の逆止弁６１および第２の逆止弁６３のダックビル型またはアンブレラ型の弁体６１１、６３１を、新しい弁体に低コストで交換することができる。そのため、本発明の匂い噴出装置１によれば、カートリッジ６の収納部６２内に収納されている芳香物質１００を異なる種類の芳香物質１００に変え、噴出させる芳香成分を気軽に変更することができる。
【０１２６】
以上、本発明の匂い噴出装置を図示の実施形態に基づいて説明したが、本発明は、これに限定されるものではなく、各構成は、同様の機能を発揮し得る任意のものと置換することができ、あるいは、任意の構成のものを付加することができる。
【０１２７】
本発明の属する分野および技術における当業者であれば、本発明の原理、考え方、および範囲から有意に逸脱することなく、記述された本発明の匂い噴出装置の構成の変更を実行可能であろうし、変更された構成を有する匂い噴出装置もまた、本発明の範囲内である。
【０１２８】
また、図１〜４に示された匂い噴出装置のコンポーネントの数や種類は、説明のための例示にすぎず、本発明は必ずしもこれに限られない。本発明の原理および意図から逸脱しない範囲において、任意のコンポーネントが追加若しくは組み合わされ、または任意のコンポーネントが削除された態様も、本発明の範囲内である。
【０１２９】
また、図７に示された制御方法Ｓ１００の工程の数や種類は、説明のための例示にすぎず、本発明は必ずしもこれに限られない。本発明の原理および意図から逸脱しない範囲において、任意の工程が、任意の目的で追加若しくは組み合わされ、または、任意の工程が削除される態様も、本発明の範囲内である。
【符号の説明】
【０１３０】
１…匂い噴出装置  ２…ハウジング  ２１…キャップ  ２２…スリット  ２３…矩形開口  ２４…円形開口  ２５…リング開口  ２６…第１の凹部  ２７…第２の凹部  ３…基板  ４…制御ユニット  ４１…制御部  ４２…電源ポート  ４３…電源回路  ５…送風機構  ５１…送風部  ５２…接続部  ６…カートリッジ  ６１…第１の逆止弁  ６１１…弁体  ６１１１…フランジ部  ６１１２…本体  ６１１３…スリット  ６１２…弁座  ６１２１…区画壁  ６１２２…挿入孔  ６２…収納部  ６３…第２の逆止弁  ６３１…弁体  ６３１１…フランジ部  ６３１２…本体  ６３１３…スリット  ６３２…弁座  ６３２１…区画壁  ６３２２…挿入孔  ７…無線通信ユニット  ８ａ…加熱スイッチ  ８ｂ…流量調整スイッチ  ８ｃ…噴出ボタン  ９…発光部  １０…温度センサー  １１ａ…上側断熱材層  １１ｂ…下側断熱材層  １１１…開口  １２…加熱機構  １３…絶縁層  １３１…開口  １４…バッテリー  １５…認識タグ  １６…センサー  １００…芳香物質  Ｓ１００…制御方法  Ｓ１０１、Ｓ１０２、Ｓ１０３、Ｓ１０４…工程
【図１】
2019136411.tif 000003
【図２】
2019136411.tif 000004
【図３】
2019136411.tif 000005
【図４】
2019136411.tif 000006
【図５】
2019136411.tif 000007
【図６】
2019136411.tif 000008
【図７】
2019136411.tif 000009